(57)【要約】【課題】  台座を備える蛇篭において、簡易な構成により、吊上ワイヤを上蓋の外に案内可能とする。【解決手段】  底面１１、側面１２、上蓋１３を備える蛇篭本体１４と、蛇篭本体１４の底面１１を下方から支持する台座２０とからなり、台座２０は、吊上ワイヤをＲ係合させる係着手段２１を備える。上蓋１３は、外周部に配する外周蓋材１３−１と、当該外周蓋材１３−１が作る中央開口を塞ぐ蓋材本体１３−２とからなる（請求項１）。上蓋１３を、外周蓋材１３−１と蓋材本体１３−２とによって構成することにより、両者の接合部から吊上ワイヤＲを外に案内することが可能となる。ガイド孔のような特殊な構成物を上蓋に配さなくても、単純な構成によって吊上ワイヤＲを上蓋の外に案内できるので、製造コストを抑えることが出来る。【選択図】    図１
2018168564.tif 000002
【特許請求の範囲】
【請求項１】
底面、側面、上蓋を備える蛇篭本体と、
蛇篭本体の底面を下方から支持する台座とからなり、
前記台座は、
吊上ワイヤを係合させる係着手段を備え、
前記上蓋は、
外周部に配する外周蓋材と、
当該外周蓋材が作る中央開口を塞ぐ蓋材本体とからなることを特徴とする蛇篭。
【請求項２】
外周蓋材は、
複数の金網パネル材を隣接させて設けるものであり、
螺旋状の連結コイルを介して、
蛇篭本体の側面上端部に回動自在に配することを特徴とする請求項１記載の蛇篭。
【請求項３】
蛇篭本体の側面の内周上部に、
内周骨線を設け、
台座の係着部から立ち上げた吊上ワイヤを、
蛇篭本体の側面の内周であって内周骨線の外側に接触させつつ案内し、
外周蓋材の中央開口から上方に案内することを特徴とする請求項１または請求項２記載の蛇篭。
【発明の詳細な説明】
【技術分野】
【０００１】
本発明は、蛇篭に係り、とくに重量が大きな大型蛇篭の構造に関する。
【背景技術】
【０００２】
底面、側面、上面を金網によって成形する蛇篭は、装填する石材重量が１〜２トンの場合は、吊上時の変形も少ないが、石材重量が増えるに従って変形量も増大する傾向がある。
【０００３】
そこで、従来、図１１に示すように、石材重量を増加させても吊上時に変形しにくい蛇篭が提案された（特許文献１）。これは、蛇篭本体１の内側に有底無蓋の保護枠体２を配設し、石詰めを行った後、蛇篭本体１の側面に設けた吊り上げ用金物部材３を介して、吊上作業を行うものである。
【０００４】
しかし、この特許文献１の発明は、保護枠体２を使用するため製造コストが嵩む。また、渦中土木に使用したときは、保護枠体２が海流の抵抗材となるため、海が荒れたときは蛇篭本体１が位置ずれを起こしたり、転倒する等、実用上の問題を惹起させる可能性がある。
【０００５】
かかる事情に鑑みて、本出願人は、図１２に示すような蛇篭の提案を行った（特許文献２；未公開）。
【０００６】
これは、概略、蛇篭本体４と台座５からなり、蛇篭本体４の上部に内周骨線６を配する一方、台座５の適宜箇所に、吊上ワイヤ７の端部リングを係着させる係着部８を設けるものである。
【０００７】
かかる構成によれば、吊上ワイヤ７は、下端から上端まで、すべて蛇篭本体４の内側を通ってクレーン等のフックに係合させることができるので、吊上時に、蛇篭本体４の側面には力が作用せず、従って、蛇篭本体４の変形を確実に防止できる。吊上ワイヤ７は、内周骨線６の外側であって蛇篭本体４の側壁の内側を通るように案内する。
【先行技術文献】
【特許文献】
【０００８】
【特許文献１】特開平７−１０９７１８
【特許文献２】特願２０１７−６３２２０（未公開）
【発明の開示】
【発明が解決しようとする課題】
【０００９】
特許文献２に係る発明は、総重量が１０トンとなる大型蛇篭であっても変形を生じさせることなく、繰り返して吊上作業を行うことが可能であり、コストも抑えることが出来る利点がある。
【００１０】
その一方で、上蓋に関する改善の余地が残る。
【００１１】
特許文献２に係る発明では、吊上ワイヤ７を内周骨線６の外側であって蛇篭本体４の側壁の内側を通るように案内する。このため、内周骨線６を蛇篭本体４の側面上端部に配する場合を除き、吊上ワイヤ７は、上蓋の外周部よりも中央側（内側）を通ってクレーンフックに係合させることになる。
【００１２】
この場合、対処としては、上蓋の適宜箇所に吊上ワイヤ７を上に案内するガイド孔を設けておく構成が考えられる。
【００１３】
しかしながら、上蓋を特殊なデザイン構成とした場合には、製造コストが非常に嵩むという問題があった。
【００１４】
そこで、本発明の目的は、より単純な構成で、吊上ワイヤを上蓋の外に案内可能とすることにある。
【課題を解決するための手段】
【００１５】
前記目的を達成するため、本発明に係る蛇篭は、底面、側面、上蓋を備える蛇篭本体と、蛇篭本体の底面を下方から支持する台座とからなり、前記台座は、吊上ワイヤを係合させる係着手段を備え、前記上蓋は、外周部に配する外周蓋材と、当該外周蓋材が作る中央開口を塞ぐ蓋材本体とからなる（請求項１）。
【００１６】
上蓋を、外周蓋材と、当該外周蓋材が作る中央開口を塞ぐ蓋材本体とによって構成することにより、両者の接合部から吊上ワイヤを外に案内することが可能となる。ガイド孔のような特殊な構成物を上蓋に配さなくても、単純な構成によって吊上ワイヤを上蓋の外に案内できるので、製造コストを抑えることが出来る。
【００１７】
外周蓋材は、複数の金網パネル材を隣接させて設けるものであり、螺旋状の連結コイルを介して、蛇篭本体の側面上端部に回動自在に配する場合がある（請求項２）。
【００１８】
外周蓋材は可動しないものでも良いが、連結コイルを介して蛇篭本体の側面上端部に回動自在に軸着する方が、蛇篭本体への石詰作業が容易となる。
【００１９】
外周蓋材を、蛇篭本体の外側に位置させれば、蛇篭本体の上部開口が広く開放されるので、石詰作業が容易となる。また、吊上ワイヤも蛇篭本体の側面上端部から外方に逃がすことが出来るので、石詰作業時に、投入される石材を吊上ワイヤが阻むこともない。
【００２０】
蛇篭本体の側面の内周上部に、内周骨線を設け、台座の係着部から立ち上げた吊上ワイヤを、蛇篭本体の側面の内周であって内周骨線の外側に接触させつつ案内し、外周蓋材の中央開口から上方に案内する場合がある（請求項３）。
【００２１】
これは、蛇篭本体に内周骨線を設ける場合である。この場合は、内周骨線の外側を通過させつつ吊上ワイヤを上方へ案内し、外周蓋材の中央開口から上蓋の上方に案内する。
【００２２】
外周蓋材が連結コイルを介して回動自在に取り付けた場合は、石詰作業時に、外周蓋材を蛇篭本体の側面の外側に回動させ、吊上ワイヤも、蛇篭本体の側面上端外周から蛇篭本体の外側に退避させることが出来る。
【発明の効果】
【００２３】
本発明に係る蛇篭によれば、製造コストを低減できる単純な構成で吊上ワイヤを上蓋の外に案内することが出来る。
【図面の簡単な説明】
【００２４】
【図１】本発明に係る蛇篭の全体構成を示す斜視図である。
【図２】図１に係る上蓋の構成を例示する平面図である。
【図３】図１に係る蛇篭における吊上ワイヤの配設例を示す図である。
【図４】図２に係る上蓋の外に出す吊上ワイヤを例示する図である。
【図５】図１に係る蛇篭に石材を充填する際の外周蓋材を例示する図である。
【図６】図５の状態から外周蓋材を閉じた状態を示す図である。
【図７】本発明に係る台座の第二の実施形態を示す平面図である。
【図８】図７に係る台座に吊上ワイヤを配した場合を例示する平面図である。
【図９】本発明に係る上蓋をフトン篭に適用した場合を例示する図である。
【図１０】図７に係る台座をフトン篭に適用した場合を例示する図である。
【図１１】従来の蛇篭を例示する斜視図である。
【図１２】本出願人が提案した従来の蛇篭（未公開）を示す図である。
【発明を実施するための形態】
【００２５】
図１は、本発明に係る蛇篭の実施形態を例示するものである。
【００２６】
この蛇篭１０は、底面１１、側面１２、上蓋１３を備える蛇篭本体１４と、この蛇篭本体１４の底面１１の下に配する台座２０とからなり、蛇篭本体１４の側面１２の内側に、該蛇篭本体１４の底面１１と略平行に配した内周骨線３０を備える。
【００２７】
この内周骨線３０は、蛇篭本体１４の上端部または上端部から若干下方に離隔させた位置に配設する。
【００２８】
底面１１の下に配する台座２０は、図示しない吊上ワイヤの端部リングを係着させる係着部２１を備える。該係着部２１は、蛇篭本体１４の底面１１の輪郭より内側位置に配する。
【００２９】
本実施形態で用いる蛇篭本体１４は、従来から広く使用されている略円柱形（円筒形）の蛇篭、いわゆるダルマ篭である。ダルマ篭は、とくに５〜１０トン程度の大型蛇篭に適する。
【００３０】
ダルマ篭に使用する底面１１、側面１２、上蓋１３の金網部材は、市場に広く流通しているものを使用できる。
【００３１】
底面１１、側面１２、上蓋１３の金網部材は、必要箇所に骨線Ｐ（太い金属線を備え、フレーム（枠材）である骨線Ｐの間に、金網を掛け渡してある。金網の網目寸法は、内部に充填する石材との関係で適宜設定する。
【００３２】
金網は、衝撃吸収性のある菱形金網、あるいは、強度に優れる格子金網（ウェッジワイヤースクリーン；溶接金網）等、各種のものを使用できる。
【００３３】
底面１１、側面１２、上蓋１３の金網部材の連結／結合は、従来と同様に、螺旋状の連結コイル１８を使用することが望ましい。連結コイル１８も各種のタイプの製品が市販されている。
【００３４】
連結コイル１８を使用すると、金網同士、金網と骨線Ｐ、金網と吊上ワイヤ等を適宜の組合せで、当該コイルの螺旋内周部に収めて相互に連結させることが出来る。完全な固定ではなく、若干の隙間や緩やかさをもった連結状態であるが、組み立てが容易であり、使用上の問題はない。
【００３５】
側面１２は、例えば、円周を二分割した方形の金網パネルを、組み合わせて成形する。その左右端部には、骨線Ｐを配する。
【００３６】
台座２０は、底面１１を下から支持して変形を抑え、吊上ワイヤ（図示せず）を係着させるものである。この台座２０としては、例えば、メッシュパネル（格子パネル）、金属板等を使用することが出来る。後に述べるように、金属棒材を用いてより簡単な構成とすることも可能である。
【００３７】
台座２０に設ける係着部２１は、吊上ワイヤの端部リングを係着させる機能があればよい。例えば、逆Ｕ字状のフック、略Ｏ字状のリング等を使用できる。係着部２１の数は、使用する吊上ワイヤの本数に応じて設定する。
【００３８】
上蓋１３は、図２に示すように、複数の外周蓋材１３−１と、この外周蓋材１３−１が作る中央開口を塞ぐ蓋材本体１３−２とによって構成する。外周蓋材１３−１は適当個数、例えば、本実施形態では円周を４分割して、４個の外周蓋材１３−１を用いることが望ましい。
【００３９】
外周蓋材１３−１は、長方形の金網パネル材（骨線を備えるもの）を使用できる。上蓋１３を配する側面１２の上部開口は円弧であるため、長方形の外周蓋材１３−１を配した場合、若干の隙間は出来る。しかしながら、蓋材としての機能、つまり、石材の流出を防ぐ点での機能上の問題は生じない。
【００４０】
外周蓋材１３−１と蓋材本体１３−２は、連結コイル１８を介して固定する。外周蓋材１３−１と側面１２上端部も、例えば、連結コイル１８を介して固定し、外周蓋材１３−１が連結コイル１８を軸として回動自在となるよう配設することが望ましい。
【００４１】
かかる構成によれば、図３に示すように、吊上ワイヤ（金属製ワイヤロープ）Ｒの端部リング（環状部）を係着部２１に係合させる一方、上方に案内した吊上ワイヤＲを、内周骨線３０の外側を通過させ、さらに上方に導くことにより、湾曲させた最上部をクレーンフック（図示せず）に係合させて、蛇篭１０を吊り上げることが出来る。
【００４２】
内周骨線３０の外側を通過させる吊上ワイヤＲは、蛇篭本体１４の側面１２の内側を通過しており、側面１２の外側には出ない。
【００４３】
図４は、上蓋１３の外に出る吊上ワイヤＲを例示するものである。吊上ワイヤＲは、外周蓋材１３−１と蓋材本体１３−２の接合部から外方に出る。
【００４４】
なお、図４で示す吊上ワイヤＲは、ワイヤ両端部の二つのリングを両方とも基台２０の係着部２１に係合させ、二つ折りの湾曲状態としたワイヤをクレーンフックに係合させる状態を示してある。
【００４５】
図５は、蛇篭本体１４に石材を詰めるときにおける、吊上ワイヤＲの状態を例示するものである。このとき、外周蓋材１３−１は、側面１２の外側に回動させてあり、吊上ワイヤＲは、側面１２の上端部から外側に逃がした状態である。この状態で、蛇篭本体１４に石材を投入する。
【００４６】
図６は、石材の投入後に、外周蓋材１３−１を内側に回動させ、外周蓋材１３−１と蓋材本体１３−２との接合部から吊上ワイヤＲを外に出し、連結コイル１８を介して外周蓋材１３−１／蓋材本体１３−２／吊上ワイヤＲを同時に拘束した状態を示すものである。この図６の状態を平面からみると、前記図４のようになる。尚、吊上ワイヤＲは、連結コイル１８による拘束の外にあっても良い。
【００４７】
かかる構成によれば、蛇篭１０を吊り上げた場合に、蛇篭本体１４には外側から圧迫する力が作用せず、従って、蛇篭本体１４は変形することなく吊り上げることが出来る。
【００４８】
蛇篭本体１４の底面１１は、台座２０によって支持されるので変形せず、側面１２には吊上ワイヤＲの圧迫外力が働かないので変形しない。
【００４９】
また、吊上ワイヤＲは、上端部または上端部に近い下方位置に配した内周骨線３０の外側を通すので、当該内周骨線３０が吊上ワイヤＲの圧迫力を受け止め、結果として、蛇篭本体１４に詰めた石材が吊上時に外側から圧迫されて、上方に盛り上がる位置ずれ変形を起こすこともない。
【００５０】
蓋材１３は、外周蓋材１３−１と蓋材本体１３−２によって構成するから、吊上ワイヤＲは、蓋材１３に邪魔されることなく外側に案内出来る。単純な構成であるから、蓋材１３の部材コストを最小限に抑えることが出来る。
【００５１】
図７は、台座２０の第二の実施形態を示すものである。この台座２０は、四本の金属製の棒材５１（または平板材）を井桁（井の字状）に組んだ基礎台座５０と、この基礎台座５０の上に配した上部台座６０とによって構成する。
【００５２】
上部台座６０は、蛇篭本体１４の底面１１の輪郭と略相似形（円形）を呈する金属製の棒材（または平板材）であり、蛇篭本体１４の底面１１の輪郭よりも若干小さな寸法に成形し、蛇篭本体１４の底面１１の輪郭と略均等な間隔となる位置に配する。
【００５３】
上部台座６０は、例えば、半円形の棒材を二つ使用して、螺旋状の連結コイルを介して両者を連結することによって、円形に成形することが出来る。
【００５４】
基礎台座５０を構成する棒材５１は、適宜箇所を適宜の仮止めクリップ等を介して簡単に固定しておけば良く、溶接する必要はない。
【００５５】
上部台座６０は、基礎台座５０の上に配置するだけで良く、基礎台座５０に固定する必要はない。
【００５６】
基礎台座５０の棒材５１は、蛇篭本体１４の底面１１の直径と略同一またはそれ以下の差し渡し寸法とすることが望ましい。蛇篭本体１４に石材を詰めるときに、型くずれ防止用の金属型枠を使用するためであり、底面１１の直径よりも基礎台座５０の方が大きいと、金属型枠から蛇篭１０を引き上げることが出来ないからである。
【００５７】
次に、基礎台座５０に吊上ワイヤＲを係着させる手順を説明する。まず、図７に示すように、両端部に端部リングＲ−１、Ｒ−２を備える吊上ワイヤＲを用いて、例えば、この二つの端部リングＲ−１、Ｒ−２を、離隔させて台座２０の二箇所の係着部２１（黒丸をもって例示した箇所）に係合させる。
【００５８】
棒材５１（または平板材）を井桁に組んだ基礎台座５０を使用する場合は、棒材５１に端部リングＲ−１、Ｒ−２を係合させることが可能であり、上部台座６０が端部リングＲ−１、Ｒ−２の動きを拘束するので、基礎台座５０と上部台座６０が相俟って係着部２１を構成することになる。
【００５９】
端部リングＲ−１、Ｒ−２は、蛇篭本体１４の底面１１の上から下方に向かって差し入れ、上部台座６０を持ち上げて、棒材５１の先端部から係合させる。上部台座６０は、基礎台座５０に固定していないから簡単に持ち上げることができる。
【００６０】
図８は、適宜数、例えば４本の吊上ワイヤＲを台座２０に固定した状態を例示するものである。この状態で、底面１１の上に蛇篭本体１４の側面１２を組み立てる。
【００６１】
吊上ワイヤＲは、蛇篭本体１４の側面１２よりも内側に位置させておき、側面１２の上部に配する内周骨線３０の外側を通過させて、側面１２よりも上方に導く（図３参照）。その他の部分、つまり蛇篭本体１４の構成、上蓋１３の構成は、前記実施形態と同様である。
【００６２】
台座２０を、例えば、このような構成とすれば、４本の棒材５１によって基礎台座５０を成形し、二個の半円形の棒材を組み合わせることによって上部台座６０を成形することが出来る。
【００６３】
棒材５１（平板材でも良い）は、コンパクトに集約できるので搬送性に優れ、軽量であるから手作業で組み立てが出来、コストも低減化できる。実験によれば、蛇篭本体１４に装填した１０トンの石材を支えるにあたって強度上の問題も生じなかった。
【００６４】
前記実施形態では、略円柱形（円筒形）のダルマ篭を例にとって説明したが、本発明は、略直方体を呈するフトン篭にも適用できる。
【００６５】
フトン篭の上蓋１３は、例えば、図９に示すように、中央に矩形状の開口を備える外周蓋材１３−１と、当該開口を塞ぐ矩形状の蓋材本体１３−２によって構成できる。
【００６６】
外周蓋材１３−１は、一体成形した一のパネル構成でも良いが、好ましくは四辺のそれぞれに配した４個のパネル材が連結コイル１８を介して独立して回動自在となる構成とする。石材を充填するときに、吊上ワイヤＲを、側面１２の外周部から蛇篭本体の外に逃がすことが出来るようにするためである（図５参照）。
【００６７】
図１０は、フトン篭に適用する台座２０を例示するものである。この場合は、棒材５１の長さを長短二種類に調整するとともに、上部台座６０を略長方形とする。吊上ワイヤＲの端部リング（Ｒ−１、Ｒ−２）を、係合させる係着部２１を黒点で示す。係着部２１に位置させた吊上ワイヤＲは、上部台座６０によって動きを拘束する点も、ダルマ篭の場合と同じである。
【００６８】
吊上ワイヤＲの長さは、統一することが望ましい。このため、上部台座６０の長手方向を短縮するか短手方向を大きくすることによって、係着部２１からクレーンフックまでの距離を等しくすることが出来る。或いは、上蓋１３側で寸法調整を行っても良い。上蓋１３から外に出す吊上ワイヤＲの位置を調整することにより、係着部２１からクレーンフックまでの距離を調整出来るからである。
【００６９】
なお、内周骨線３０は、水平（底面１１と平行）に配する。高さ位置は、側面１２の中間部より上方、より好ましくは蛇篭本体１４の背高の２／３より上方に配する。ダルマ篭の側面１２には、通常、水平方向に配した番線があるので当該位置に内周骨線３０を配すると、製品の均一を保つことが出来る。
【００７０】
井桁に組んだ基礎台座５０を使用する場合でも、吊上ワイヤＲの端部リングＲ−１、Ｒ−２の二つを、同時に台座２０の係着部２１に固定する必要はない。一方の端部リングＲ−１を台座２０に固定し、他方の端部リングＲ−２をクレーンフックに係止させて吊り上げても良い。吊上ワイヤＲの本数は、十分な安全率を考慮した上で、適宜、例えば３本〜８本の範囲で設定することが出来る。
【００７１】
また、本発明に係る蛇篭は、内周骨線３０を設けなくても良い。台座２０の係着部２１に係着させた吊上ワイヤＲをそのまま上方に導いて、クレーフックに係合させても良い。吊上ワイヤＲは、上蓋１３の適宜位置（外周蓋材と蓋材本体の連結部）から外に案内することが出来る。
【符号の説明】
【００７２】
１０  蛇篭
１１  底面
１２  側面
１３  上蓋
１３−１  外周蓋材
１３−２  蓋材本体
１４  蛇篭本体
１８  連結コイル
２０  台座
２１  係着部
３０  内周骨線
５０  基礎台座
５１  棒材
６０  上部台座
Ｐ  骨線
Ｒ  吊上ワイヤ
Ｒ−１、Ｒ−２  端部リング
【図１】
2018168564.tif 000003
【図２】
2018168564.tif 000004
【図３】
2018168564.tif 000005
【図４】
2018168564.tif 000006
【図５】
2018168564.tif 000007
【図６】
2018168564.tif 000008
【図７】
2018168564.tif 000009
【図８】
2018168564.tif 000010
【図９】
2018168564.tif 000011
【図１０】
2018168564.tif 000012
【図１１】
2018168564.tif 000013
【図１２】
2018168564.tif 000014